(57)【特許請求の範囲】
【請求項１】
壁表補強材より長く形成された複数の壁裏補強材の、各々に設けた挿通孔に引張部材を通し、
前記引張部材は前記壁表補強材の挿通孔に通した後に、両端部を結び形成し、
つぎに、手すりを取り付けようとする位置に設けた壁孔から前記複数の壁裏補強材を通し、壁裏側に位置させ、
つぎに、前記引張部材を壁表側に引っ張ることで前記複数の壁裏補強材を交差させて、壁裏側に係合させ、
つぎに、前記引張部材を壁表側に引いた状態で、固定ねじを、前記壁表補強材の孔と、この壁表補強材の表面側に配置される、手すり取付用のねじ部が形成されたアダプターの開口とに差し込んだ後、この固定ねじを前記壁孔から臨む壁裏補強材に形成されたねじ孔にねじ込み、前記壁表補強材を壁表側に加圧して、前記アダプターを前記壁表補強材側に取り付け、
つぎに、取付部側がカバーで覆われる手すりを前記アダプターに取り付けることを特徴とする手すりの取付方法。
【請求項２】
壁表補強材より長く形成された複数の壁裏補強材の、各々に設けた挿通孔に引張部材を通し、
前記引張部材は前記壁表補強材の挿通孔に通した後に、両端部を結び形成し、
つぎに、手すりを取り付けようとする位置に設けた壁孔から前記複数の壁裏補強材を通し、壁裏側に位置させ、
つぎに、前記引張部材を壁表側に引っ張ることで前記複数の壁裏補強材を交差させて、壁裏側に係合させ、
つぎに、前記引張部材を壁表側に引いた状態で、手すり取付用ねじを前記壁表補強材の孔と前記壁孔内を通して、前記壁孔から臨む壁裏補強材に形成された手すり取付用ねじ孔にねじ込み、取付部側がカバーで覆われる手すりを、前記壁表補強材とともに壁表側に加圧することにより取り付けることを特徴とする手すりの取付方法。
【発明の詳細な説明】
【０００１】
【発明の属する技術分野】
この発明は、比較的強度の小さい壁材に手すりを取り付ける場合の手すりの取付方法に関するものである。
【０００２】
【従来の技術】
石膏ボードのような比較的強度の小さい壁材や、薄くて強度の小さい壁材に手すり等の被固定物を取り付ける場合には、壁材の強度を補う特殊な取付用器具を用いる必要がある。
【０００３】
図６はこのような取付用器具の従来のものの一例を示している。この取付用器具は、強度の大きい壁裏補強材５００を、壁孔Ｈを介して、壁材Ｗの裏面側に移動させた後、この壁裏補強材５００の両端部を壁材Ｗの壁孔Ｈ周りに当接させるとともに、壁材Ｗの表面側から、壁孔Ｈを覆うように、強度の大きい壁表補強材５０１を当接させ、つぎに、壁表補強材５０１の孔部５０１ａを介して、壁裏補強材５００のねじ孔５００ａに、固定ねじ５０２をねじ込み、この固定ねじ５０２により、壁裏補強材５００と壁表補強材５０１とを壁材Ｗに加圧固定して、この壁材Ｗの補強を行なうものである。そして、この取付用器具では、壁表補強材５０１に取付ねじ孔５０１ｂが設けられており、この取付ねじ孔５０１ｂに取付ねじ５１１をねじ込むことにより、被固定物５１０が壁材Ｗ側に取付けられる。
【０００４】
ここで、壁裏補強材５００を壁材Ｗの裏面側に移動し、これを壁材Ｗに当接させるために、壁裏補強材５００には紐５０３が取り付けられているとともに、壁表補強材５０１には、この紐５０３を通す挿通孔５０１ｃが形成されている。なお、この紐５０３は、この取付用器具が壁材Ｗに加圧固定された時点でカットされる。
【０００５】
【発明が解決しようとする課題】
しかしながら、上記従来の取付用器具では、壁裏補強材５００を壁孔Ｈを介して壁材Ｗの裏面側に移動させる必要があるため、壁裏補強材５００の幅サイズを壁孔Ｈのサイズより充分に小さくする必要がある。したがって、この取付用器具では、壁裏補強材５００を壁孔Ｈ周りのほんの一部の壁材Ｗ側にしか当接させることができないため、壁裏補強材５００と壁表補強材５０１とにより、壁材Ｗを充分に加圧できず、これらを壁材Ｗに充分に固定できないという問題があった。このため、被固定物５１０は壁材Ｗ側にしっかり取り付けられなかった。
【０００６】
この発明は、以上の点に鑑み、壁裏補強材と壁表補強材とを、壁材側に充分に固定できる手すりの取付方法を提供することを目的とする。
【０００７】
【課題を解決するための手段】
この発明の請求項１記載の発明は、壁表補強材より長く形成された複数の壁裏補強材の、各々に設けた挿通孔に引張部材を通し、引張部材は壁表補強材の挿通孔に通した後に、両端部を結び形成し、つぎに、手すりを取り付けようとする位置に設けた壁孔から複数の壁裏補強材を通し、壁裏側に位置させ、つぎに、引張部材を壁表側に引っ張ることで複数の壁裏補強材を交差させて、壁裏側に係合させ、つぎに、引張部材を壁表側に引いた状態で、固定ねじを、壁表補強材の孔と、この壁表補強材の表面側に配置される、手すり取付用のねじ部が形成されたアダプターの開口とに差し込んだ後、この固定ねじを壁孔から臨む壁裏補強材に形成されたねじ孔にねじ込み、壁表補強材を壁表側に加圧して、アダプターを壁表補強材側に取り付け、つぎに、取付部側がカバーで覆われる手すりをアダプターに取り付けることである。
【０００８】
この発明では、例えば、一端側が挿通孔より抜けないように太く結ばれた一対の引張部材の他端側を、複数の壁裏補強材と壁表補強材との挿通孔に通して、これらの端部を結んで連結した後、この引張部材を使用して、壁裏補強材を壁孔から壁裏側に移動させ、つづいて、この引張部材を壁表側に引っ張ることにより、壁裏補強材を互いに交差させるとともに、これらの壁裏補強材を壁裏側に係合させる。つぎに、この状態で、壁表補強材を壁表側の壁孔周りに当てた後、固定ねじを、壁表補強材の孔とアダプターの開口を介して、壁孔から臨む壁裏補強材のねじ孔にねじ込み、壁裏補強材と壁表補強材とで壁材の壁孔周りを加圧するとともに、アダプターを壁表補強材側に取り付ける。そして、ねじ部を介してアダプターに手すりを取り付ければ、この手すりは壁表補強材側にしっかりと取り付けられる。この場合、手すりの取付部側を覆うカバーで固定ねじ等を隠すようにする。なお、引張部材は取り付け時の適当な時期にカットして取り外しておく。
【０００９】
この発明の請求項２記載の発明は、壁表補強材より長く形成された複数の壁裏補強材の、各々に設けた挿通孔に引張部材を通し、引張部材は壁表補強材の挿通孔に通した後に、両端部を結び形成し、つぎに、手すりを取り付けようとする位置に設けた壁孔から複数の壁裏補強材を通し、壁裏側に位置させ、つぎに、引張部材を壁表側に引っ張ることで複数の壁裏補強材を交差させて、壁裏側に係合させ、つぎに、引張部材を壁表側に引いた状態で、手すり取付用ねじを壁表補強材の孔と壁孔内を通して、壁孔から臨む壁裏補強材に形成された手すり取付用ねじ孔にねじ込み、取付部側がカバーで覆われる手すりを、壁表補強材とともに壁表側に加圧することにより取り付けることである。
【００１０】
この発明では、被固定物取付用ねじを、壁表補強材の孔と壁孔とを介して、壁裏補強材の手すり取付用ねじ孔にねじ込むことにより、壁裏補強材と壁表補強材とで壁材の壁孔周りが加圧されるとともに、手すりが壁表補強材側に加圧されて取り付けられる。この場合、手すりの取付部側を覆うカバーで手すり取付用ねじ等を隠すようにする。
【００１１】
【発明の実施の形態】
以下、この発明の実施の形態を図面を参照しつつ説明する。
実施形態１．
図１および図２はこの発明の一実施の形態に係る取付用器具等を示すものである。
【００１２】
取付用器具１は、比較的強度の小さい壁材Ｗに被固定物を取り付ける場合に、壁材Ｗに集中荷重がかかるのを防止して、この壁材Ｗに被固定物をしかっりと取り付けることができるようにしたものである。この取付用器具１は、図１で示されるように、壁裏補強材としての第１および第２壁裏補強板１０，１１と、壁表補強材としての加圧円板１２と、パッキン１３と、引張部材１４と、固定ねじ１５と、スペーサ板１６と、押圧板１７と、アダプター１８と、座金１９とから構成されている。
【００１３】
第１および第２壁裏補強板１０，１１は、壁材Ｗに形成された壁孔Ｈを通って、壁材Ｗの裏面Ｗ１側に移動された後、両端側の加圧部１０ａ，１１ａが壁材Ｗの裏面Ｗ１側から壁孔Ｈ周りに加圧されるものであり、例えば強度の大きい金属板から形成されている。この第１および第２壁裏補強板１０，１１は、図２で示されるように、幅サイズＬが壁孔Ｈの径Ｄより小さく形成された、ほぼ同寸法の細長い形状をしたものであり、両端側の加圧部１０ａ，１１ａには、壁材Ｗ側が長手方向に沿って凹状にプレス曲げされた補強部１０ｂ，１１ｂが形成されているとともに、中間部には、一対の段部Ｋ１，Ｋ２を介して、壁材Ｗ側が凹球面状に幅一杯に亘って曲げられた凹状部１０ｃ，１１ｃが形成されている。この場合、凹状部１０ｃは凹状部１１ｃより深く形成されている。
【００１４】
第１壁裏補強板１０の凹状部１０ｃは、その長さが、第２壁裏補強板１１の幅サイズＬよりやや大きく、第１および第２壁裏補強板１０，１１を互いに直交するように交差させた状態で、第２壁裏補強板１１の凹状部１１ｃの凸曲面側がぴったり嵌め込まれる大きさに形成されている。そして、第１および第２壁裏補強板１０，１１を互いに交差させた状態で、第２壁裏補強板１１の凹状部１１ｃの凸曲面側を第１壁裏補強板１０の凹状部１０ｃに嵌め込んだ場合、第１および第２壁裏補強板１０，１１の加圧部１０ａ，１１ａは、壁材Ｗ側の加圧面が同一面を形成するように位置決めされる。
【００１５】
第１壁裏補強板１０の凹状部１０ｃには、その中心部、すなわち、第１壁裏補強板１０の長手方向中間部に、固定ねじ１５がねじ込まれるねじ孔１０ｄが形成されているとともに、このねじ孔１０ｄを中心とした斜めの位置に、引張部材１４挿通用の一対の小径の挿通孔１０ｅが形成されている。また、第２壁裏補強板１１の凹状部１１ｃには、その中心部、すなわち、第２壁裏補強板１１の長手方向中間部に、固定ねじ１５が差し込まれる孔部１１ｄが形成されているとともに、この孔部１１ｄを中心とした斜めの位置に、引張部材１４挿通用の一対の小径の挿通孔１１ｅが形成されている。
【００１６】
この場合、これらの挿通孔１０ｅ，１１ｅどうしは、第１および第２壁裏補強板１０，１１が、ねじ孔１０ｄと孔部１１ｄとが同心状に位置決めされた状態で、第１および第２壁裏補強板１０，１１が互いに９０度だけ回動して交差する位置（以下この位置を交差位置イという）にある場合に、互いにぴったり重なり合う位置に形成されている。なお、第１および第２壁裏補強板１０，１１が交差位置イにある場合、第２壁裏補強板１１の凹状部１１ｃの凸曲面側は第１壁裏補強板１０の凹状部１０ｃ内に嵌め込まれた状態となっている。
【００１７】
加圧円板１２は、図１で示されるように、壁材Ｗの表面側に、壁孔Ｈを覆うように配置されるものであり、第１および第２壁裏補強板１０，１１と同様に、強度の大きい金属板から形成されている。この加圧円板１２の壁孔Ｈに臨む位置には、この壁孔Ｈの内縁に沿って壁孔Ｈ内に突出する多数のガイド凸部１２ａがプレス曲げによって形成されている。そして、このガイド凸部１２ａ外方の、加圧円板１２の壁材Ｗ側の面には、パッキン１３が貼着されている。また、加圧円板１２の中心部には、固定ねじ１５が差し込まれる加圧孔１２ｂが形成されているとともに、この固定ねじ１５の両側に、引張部材１４挿通用の一対の小径の挿通孔１２ｃが形成されている。
【００１８】
引張部材１４は、糸、紐、針金、くさりのような細長い可撓性を有した材料から形成されており、図２で示されるように、第１壁裏補強板１０の凹状部１０ｃの凸曲面側外方でターンさせた状態で、第１および第２壁裏補強板１０，１１、および、加圧円板１２の挿通孔１０ｅ，１１ｅ，１２ｃ中にＵ状に通され、加圧円板１２の外方でループ状になるように端部どうしが結び付けられている。このループ状に形成された引張部材１４は、少なくとも第１および第２壁裏補強板１０，１１が壁孔Ｈを通って壁材Ｗの裏面Ｗ１側に移動できるように、充分な長さに形成されている。
【００１９】
固定ねじ１５は、第１および第２壁裏補強板１０，１１と加圧円板１２とを、壁材Ｗの裏面Ｗ１側と表面Ｗ２側から、壁孔Ｈ周りに加圧固定するものであり、図１で示されるように、一端側には６角形状の頭部１５ａが形成され、他端側の外周部には、第１壁裏補強板１０のねじ孔１０ｄにねじ込まれるねじ部１５ｂが形成されている。
【００２０】
スペーサ板１６および押圧板１７は、図１で示されるように、中心部に、固定ねじ１５の一端側が差し込まれる孔部１６ａ，１７ａが形成された円板状のものであり、押圧板１７の径がスペーサ板１６の径より大きく形成されている。アダプター１８は、リング状の基部１８ａの外周部が外方に突出して、その内面に被固定物取り付け用の雌ねじ部１８ｂが形成された袋ナット状のものである。このアダプター１８は、基部１８ａの開口１８ｃを介して、スペーサ１６の外方に配置されるが、基部１８ａが押圧板１７に係合して、押圧板１７より外方に取り出せないようになっている。この場合、基部１８ａの厚さがスペーサ１６の厚さより薄いため、アダプター１８は、自由に回動できるようになっている。
【００２１】
一方、被固定物である手すり５は、図１で示されるように、端面側に凹部５０ａが形成されるとともに、この凹部の底部にねじ穴５０ｂが形成されている本体部５０と、一端側が本体部５０の凹部５０ａに嵌め込まれ、拡径された他端の外周部に、アダプター１８の雌ねじ部１８ｂにねじ込まれる雄ねじ５１ａが形成された固定部材５１と、固定部材５１の中央部に形成された凹部５１ｂ側から本体部５０のねじ穴５０ｂにねじ込まれ、固定部材５１を本体部５０側に固定する取付ねじ５２と、本体部５０の端部側に移動され、加圧円板１２や、アダプター１８、および固定部材５１の取付ねじ５２周りを覆うカバー部材５３とから構成されている。
【００２２】
つぎに、この取付用器具１を用いて、手すり５を壁材Ｗに取り付ける場合の、取り付け手順について説明する。
まず、壁材Ｗの手すり５を取り付けようとする位置に壁孔Ｈを形成する。この場合、壁孔Ｈの径Ｄは、取付用器具１の第１および第２壁裏補強板１０，１１の幅サイズＬよりは、大きく形成しておく。
【００２３】
つぎに、引張部材１４の両端部を、第１壁裏補強板１０の凹状部１０ｃ裏側の凸曲面側から、一対の挿通孔１０ｅにＵ状に通し、つぎに、この両端部を、第２壁裏補強板１１の凹状部１１ｃの裏側の凸曲面側から、一対の挿通孔１１ｅに通し、つづいて、この両端部を、パッキン１３が貼着された加圧円板１２のパッキン１３側から一対の挿通孔１２ｃに通した後、この両端部を結んで、この引張部材１４をループ状にする。つづいて、引張部材１４で連結された第１および第２壁裏補強板１０，１１を壁孔Ｈを通って壁材Ｗの裏面Ｗ１側に移動させた後、第１および第２壁裏補強板１０，１１の両端側の加圧部１０ａ，１１ａを壁材Ｗの裏面Ｗ１側に係合させるようにして、引張部材１４を壁材Ｗの表面側に引っ張る。
【００２４】
このことにより、引張部材１４によって、第１および第２壁裏補強板１０，１１は、その挿通孔１０ｅ，１１ｅが重なり合うように移動するため、第１および第２壁裏補強板１０，１１が交差して、第１壁裏補強板１０の凹状部１０ｃに第２壁裏補強板１１の凹状部１１ｃが嵌め込まれ、ねじ孔１０ｄと孔部１１ｄとが、同心状に位置決めされる交差位置イに位置決めされる。
【００２５】
つぎに、引張部材１４を壁材Ｗの表面Ｗ２側に引いた状態で、頭部１５ａ側に、孔部１６ａ，１７ａと開口１８ｃとを介してスペーサ板１６と押圧板１７とアダプター１８と座金１９とを保持した固定ねじ１５の一端側を、加圧円板１２の加圧孔１２ｂおよび第２壁裏補強板１１の孔部１１ｄを介して、第１壁裏補強板１０のねじ孔１０ｄにねじ込む。この場合、加圧円板１２のガイド凸部１２ａを壁孔Ｈ内に位置決めすることにより、固定ねじ１５を壁孔Ｈの中心に位置決めするようにする。そして、固定ねじ１５のねじ込みにより、加圧円板１２に貼着されたパッキン１３が、壁材Ｗの表面Ｗ２側に当接しはじめると、引張部材１４をカットして取り外す。
【００２６】
そして、固定ねじ１５がねじ孔１０ｄに充分にねじ込まれると、固定ねじ１５の頭部１５ａにより、座金１９、スペーサ板１６、押圧板１７を介して、加圧円板１２のパッキン１３が貼着された外周部が、壁材Ｗの表面Ｗ２側の壁孔Ｈ周りに強く加圧されるとともに、この固定ねじ１５のねじ部１５ｂにより、第１および第２壁裏補強板１０，１１の加圧部１０ａ，１１ａが、壁材Ｗの裏面Ｗ１側の壁孔Ｈ周りに強く加圧される。これで、取付用器具１の壁材Ｗ側への固定作業は終了するが、アダプター１８は、その基部１８ａの厚さが、スペーサ板１６より薄いので、スペーサ板１６周りを自由に回動できる状態となている。
【００２７】
つぎに、本体部５０の一端側に、取付ねじ５２を介して固定部材５１が取り付けられた手すり５の一端側を、押圧板１７側に加圧した後、アダプター１８を回動して、その雌ねじ部１８ｂを固定部材５１の雄ねじ部５１ａにねじ込んでいく。そして、雌ねじ部１８ｂが雄ねじ部５１ａに充分にねじ込まれると、アダプター１８と固定部材５１とが押圧板１７を加圧するため、手すり５の一端側は、この取付用器具１を介して、壁材Ｗの表面Ｗ２側にしっかりと取り付けられる。
【００２８】
以上のように、この取付用器具１では、引張部材１４によってつながれた第１および第２壁裏補強板１０，１１を壁孔Ｈを介して、壁材Ｗの裏面Ｗ１側に移動した後、第１および第２壁裏補強板１０，１１を交差させるように位置決めし、この第１および第２壁裏補強板１０，１１を壁材Ｗの裏面Ｗ１側に加圧するようにしているため、第１および第２壁裏補強板１０，１１の個々の幅サイズＬは、壁孔Ｈ中の移動を考慮して小さなものとなっても、これらを壁材Ｗの裏面Ｗ１側の壁孔Ｈ周りに必要な数だけ（充分に）配置することができ、この第１および第２壁裏補強板１０，１１によって壁材Ｗの裏面Ｗ１側を充分に加圧できる。したがって、この取付用器具１では、壁裏補強材と壁表補強材とによって、壁材Ｗを充分に加圧でき、これらが壁材Ｗ側に強く（堅固に）固定されるため、この壁裏補強材と壁表補強材を介して、被固定物を壁材Ｗ側にしっかりと取り付けることができる。
【００２９】
また、この取付用器具１では、複数の壁裏補強材（第１および第２壁裏補強板１０，１１）を使用しても、これらを引張部材１４のみによって、所定位置（交差位置イ）に容易に位置決めできるため、壁裏補強材側の構成の簡単化を図ることができる。したがって、この取付用器具１では、壁裏補強材の数の割りには、製造コストの低減や製造の容易化を図ることができる。
【００３０】
さらに、この取付用器具１では、交差位置イに位置決めされた第２壁裏補強板１１が第１壁裏補強板１０の凹状部１０ｃ内に嵌め込まれ、第１および第２壁裏補強板１０，１１の加圧部１０ａ，１１ａの壁材Ｗへの加圧面が同一面を形成するように位置決めされるため、壁裏補強材が複数あっても、これ等を固定ねじ１５により壁材Ｗ側に均等に加圧することができる。このため、第１および第２壁裏補強板１０，１１が壁材Ｗ側にバランスよく強固に加圧されるようになり、その分、被固定物も壁材Ｗ側にしっかりと取り付けることができるようになる。
【００３１】
また、この取付用器具１では、加圧円板１２にガイド凸部１２ａを設けて、このガイド凸部１２ａにより、加圧円板１２や固定ねじ１５を壁孔Ｈ側に位置決めできるため、この固定ねじ１５を介して、第１および第２壁裏補強板１０，１１も壁孔Ｈに対して容易に位置決めできる。さらに、この取付用器具１では、アダプター１８を回動できるため、手すり５の壁材Ｗ側への取り付けも容易になされる。
【００３２】
なお、この実施形態１では、壁裏補強材を２枚しか設けなかったが、第１壁裏補強板１０より壁材Ｗ側に配置される第２壁裏補強板１１を２枚以上設け、壁材Ｗの裏面Ｗ１側をより強く加圧するようにしてもよい。この場合、引張部材１４用の挿通孔１０ｅ，１１ｅは、例えば、第１および第２壁裏補強板１０，１１が互いに等角度の間隔で交差するように配置された状態で、これらが互いに重なり合うように形成されておればよい。
【００３３】
また、この実施形態１において、引張部材１４を２本設け、この引張部材１４の一端側を、第１壁裏補強板１０の挿通孔１０ｅを通過しないように太く結んだ後、この引張部材１４の他端側を、第１および第２壁裏補強板１０，１１の挿通孔１０ｅ，１１ｅに通すことにより、第１および第２壁裏補強板１０，１１を交差位置イに位置決めするようにしてもよい。この場合、第１および第２壁裏補強板１０，１１の挿通孔１０ｅ，１１ｅの数を増やすことにより（例えば３つ）、引張部材１４の数を増やす（３本）ようにしてもよい。
【００３４】
さらに、この実施形態１において、第１壁裏補強板１０には挿通孔１０ｅを設けず、２本の引張部材１４の一端側をそれぞれこの第１壁裏補強板１０に固定するとともに、この引張部材１４の他端側を第２壁裏補強板１１の挿通孔１１ｅに通すことにより、第１および第２壁裏補強板１０，１１を交差位置イに位置決めするようにしてもよい。この場合においても、挿通孔１１ｅの数を増やすことにより、引張部材１４の数を増やすようにしてもよい。
【００３５】
また、この実施形態１では、引張部材１４を引っ張ることにより、第１および第２壁裏補強板１０，１１の挿通孔１０ｅ，１１ｅが、互いにぴったり重なるように位置合せされたが、第１および第２壁裏補強板１０，１１を交差位置イに位置決めできるのであれば、これらの挿通孔１０ｅ，１１ｅの位置は多少ずれていてもよい。
【００３６】
さらに、この実施形態１では、固定ねじ１５を第２壁裏補強板１１の孔部１１ｄを介して、第１壁裏補強板１０のねじ孔１０ｄにねじ込むようにしたが、第１壁裏補強板１０の第２壁裏補強板１１とは重ならない位置に、ねじ孔１０ｄを設け、このねじ孔１０ｄに固定ねじ１５をねじ込むようにようにしてもよい。また、第１壁裏補強板１０のねじ孔１０ｄの数や加圧円板１２の加圧孔１２ｂの数を増やすことにより、固定ねじ１５の数を増やすようにしてもよい。さらに、第１および第２壁裏補強板１０，１１にねじ孔を設け、固定ねじ１５を両者にねじ込むようにしてもよい。
【００３７】
また、例えば、壁材Ｗの壁孔Ｈ周りに案内孔を形成し、固定ねじ１５を第１壁裏補強板１０のねじ孔１０ｄにねじ込む場合、壁孔Ｈを通さず、この案内孔を介して、第１壁裏補強板１０のねじ孔１０ｄに、これをねじ込むようにしてもよい。この場合、加圧円板１２の加圧孔１２ｂや第１壁裏補強板１０のねじ孔１０ｄも上記案内孔側に形成しておく。
【００３８】
さらに、第１および第２壁裏補強板１０，１１のサイズも、互いに同一である必要はない。これらのサイズは、これらが壁孔Ｈを介して壁材Ｗの裏面側に移動でき、かつ、例えば、これらを交差位置イに位置決めした場合に、これらの両端の加圧部１０ａ，１１ａを壁材Ｗの壁孔Ｈ周りに充分に加圧できるものであればよい。
【００３９】
また、加圧部１０ａ，１１ａの加圧面を同一面にする、第１および第２壁裏補強板１０，１１の凹状部１０ｃ，１１ｃ（段部Ｋ１，Ｋ２）は、第１および第２壁裏補強板１０，１１の両者にもうける必要はなく、少なくとも、これらの内の一方に設けられておればよい。
【００４０】
さらに、壁表補強材（加圧円板１２）は、必ずしも壁孔Ｈ全体を覆う必要はなく、壁孔Ｈの一部を覆う、例えば、矩形状、十字状のものや、壁孔Ｈを全く覆わない、例えば、壁孔Ｈの周囲に配置されるリング状のものであってもよい。
【００４１】
また、壁孔Ｈの形状は、必ずしも、円形である必要はない。矩形や多角形状をしていてもよいのはもちろんである。
【００４２】
実施形態２．
図３および図４はこの発明の他の実施の形態に係る取付用器具等を示すものである。なお、図１等で示されるものと同一、または、これらに相当するもの（部分）には、同一符合を付しその説明を省略する。
【００４３】
取付用器具２は、取付用器具１と同様な機能を有するものであり、第１および第２壁裏補強板１０，１１と、加圧円板１２と、引張部材１４と、固定ねじ１５とから構成される。この場合、第１および第２壁裏補強板１０，１１の両端側の壁孔Ｈに臨む位置には、被固定物取付用のねじ孔１０ｆ，１１ｆが形成されている。なお、第１および第２壁裏補強板１０，１１には、加圧部１０ａ，１１ａに補強部１０ｂ，１１ｂは設けられていないとともに、第２壁裏補強板１１には、凹状部１１ｃは形成されておらず、したがって、段部Ｋ２もない。また、第１壁裏補強板１０の凹状部１０ｃは、第２壁裏補強板１１の中間部が嵌め込まれた後、第１および第２壁裏補強板１０，１１の加圧部１０ａ，１１ａの壁材Ｗ側の加圧面が、同一平面を形成できる程度に浅く形成されている。
【００４４】
加圧円板１２には、図４で示されるように、壁材Ｗ側に当接する外周部１２ｄ内方に、取付ねじ５４を第１および第２壁裏補強板１０，１１のねじ孔１０ｆ，１１ｆ側に導くための一対の案内孔１２ｅ，１２ｆが形成されており、この案内孔１２ｅ，１２ｆ間に、外周部１２ｄを直径状に結ぶ帯状の加圧部１２ｇが形成されている。そして、この加圧部１２ｇの中間部は、手すり５側に凹部１２ｈを形成するように曲げられているとともに、この凹部１２ｈの中心部に、固定ねじ１５差し込み用の加圧孔１２ｂが形成されている。なお、この加圧円板１２には案内孔１２ｅ，１２ｆが形成されているため、引張部材１４挿通用の挿通孔１２ｃは特別には設けられていない。
【００４５】
一方、手すり６は、図３および図４で示されるように、端部側に取付用器具１の加圧円板１２とほぼ同サイズのフランジ部５０ｃを有した本体部５０と、この本体部５０の加圧円板１２側に嵌め込まれるカバー固定板５５と、カバー固定板５５の外周部に取り付けられて、フランジ部５０ｃの外面を覆うカバー５６と、フランジ部５０ｃとカバー固定板５５とに形成された長孔５０ｄ，５５ａおよび加圧円板１２の案内孔１２ｅ，１２ｆを通って、第１および第２壁裏補強板１０，１１のねじ孔１０ｆ，１１ｆにねじ込まれる前述の取付ねじ５４と、座金５７とから構成されている。
【００４６】
この取付用器具２を使用して、手すり６を壁材Ｗに取り付けるには、まず、引張部材１４の両端部を、第１および第２壁裏補強板１０，１１の挿通孔１０ｅ，１１ｅと加圧円板１２の案内孔１２ｅ，１２ｆに通して、ループ状に結んだ後、この引張部材１４を把持して、第１および第２壁裏補強板１０，１１を、壁孔Ｈから壁材Ｗの裏面Ｗ１側に移動させる。つぎに、引張部材１４を壁材Ｗの表面Ｗ２側に引っ張って、加圧部１０ａ，１１ａを壁材Ｗの裏面Ｗ１側に係合させつつ、第２壁裏補強板１１の中間部を第２壁裏補強板１１の凹状部１０ｃに嵌め込み、第１および第２壁裏補強板１０，１１を交差位置イに位置決めする。つづいて、引張部材１４を引いた状態で、頭部１５ａ側に加圧孔１２ｂを介して、加圧円板１２を保持した固定ねじ１５のねじ部１５ｂを、第２壁裏補強板１１の孔部１１ｄを介して、第１壁裏補強板１０のねじ孔１０ｄにねじ込む。
【００４７】
そして、加圧円板１２の外周部１２ｄが壁材Ｗの表面Ｗ２側に当接しはじめるまで、固定ねじ１５をねじ孔１０ｄにねじ込むとともに、引張部材１４をカットして取り外す。そして、固定ねじ１５がねじ孔１０ｄに充分にねじ込まれると、加圧円板１２の外周部１２ｄが壁材Ｗの表面Ｗ２側の壁孔Ｈ周りに強く加圧されるとともに、第１および第２壁裏補強板１０，１１の加圧部１０ａ，１１ａが壁材Ｗの裏面Ｗ１側の壁孔Ｈ周りに加圧され、取付用器具２の壁材Ｗ側への固定作業は終了する。
【００４８】
つぎに、カバー固定板５５が取り付けられた手すり６の本体部５０のフランジ部５０ｃを、取付用器具２の加圧円板１２側に押し当て、フランジ部５０ｃとカバー固定板５５の長孔５０ｄ，５５ａ、および、加圧円板１２の案内孔１２ｅ，１２ｆを介して、取付ねじ５４を第１および第２壁裏補強板１０，１１のねじ孔１０ｆ，１１ｆにねじ込む。そして、取付ねじ５４がねじ孔１０ｆ，１１ｆに充分にねじ込まれると、本体部５０の一端側は、フランジ部５０ｃが加圧円板１２を介して壁材Ｗの表面Ｗ２側に加圧されることにより、壁材Ｗ側に取り付けられる。この場合、第１および第２壁裏補強板１０，１１と加圧円板１２とは、この取付ねじ５４によって、さらに強く壁材Ｗ側に加圧される。そして、カバー５６をフランジ部５０ｃ側に移動させれば、手すり６の一端側の壁材Ｗ側への取り付け作業は終了する。
【００４９】
以上のように、この取付用器具２においても、実施形態１の取付用器具１と同様な効果を得ることができる。特に、この取付用器具２では、手すり６の取付ねじ５４を第１および第２壁裏補強板１０，１１のねじ孔１０ｆ，１１ｆにねじ込んで、手すり６を壁材Ｗ側に取り付けるようにしているため、この取付ねじ５４によっても、第１および第２壁裏補強板１０，１１が壁材Ｗ側に加圧固定され、その分、手すり６を壁材Ｗ側にしっかりと取り付けることができる。
【００５０】
なお、この実施形態２において、壁表補強材（加圧円板１２）を設けず、手すり５０のフランジ部５０ｃに壁表補強材としての機能を持たせるようにしてもよい。この場合、固定ねじ１５も不要であり、取付ねじ５４が固定ねじ１５の役割を果たすこととなる。
【００５１】
実施形態３．
図５はこの発明の他の実施の形態に係る取付用器具等を示すものである。なお、図３等で示されるものと同一、または、これらに相当するもの（部分）には、同一符合を付しその説明を省略する。
【００５２】
この取付用器具３は、取付用器具１，２と同様の機能を有するものであり、図４で示される取付用器具２に、アダプター２０と、連結ねじ２１と、アダプターカバー２２とを加えたものである。
【００５３】
アダプター２０は、連結ねじ２１を介して、加圧円板１２の外方に取り付けられるものであり、これには、連結ねじ２１を第１および第２壁裏補強板１０，１１のねじ孔１０ｆ，１１ｆにねじ込むための４つの孔部２０ａが形成されているとともに、この孔部２０ａ間に、手すり５の本体部５０の長孔５０ｄに差し込まれる取付ねじ５４が、ねじ部側を手すり５側に突出させるように取り付けられている。また、アダプターカバー２２は、加圧円板１２やアダプター２０の外面を覆うものであり、これには、アダプター２０に取り付けられた取付ねじ５４を挿通させる孔部２２ａが形成されている。なお、符合５８は取付ねじ５４にねじ込まれる手すり５の固定用のナットである。
【００５４】
この取付用器具３を使用して、手すり６を壁材Ｗに取り付けるには、まず、引張部材１４を用いて、第１および第２壁裏補強板１０，１１を壁材Ｗの裏面Ｗ１側に移動して位置決めし、この第１および第２壁裏補強板１０，１１と加圧円板１２とを、固定ねじ１５により、壁孔Ｈ周りの壁材Ｗの裏面Ｗ１側と表面Ｗ２側とに加圧固定する。つづいて、連結ねじ２１を第１および第２壁裏補強板１０，１１のねじ孔１０ｆ，１１ｆにねじ込み、アダプター２０を加圧円板１２側に加圧固定するとともに、アダプター２０の取付ねじ５４を孔部２２ａに差し込むようにして、アダプターカバー２２をアダプター２０に取り付ける。
【００５５】
つぎに、フランジ部５０ｃとカバー固定板５５との長孔５０ｄ，５５ａに、アダプター２０に取り付けられた取付ねじ５４を差し込むようにして、本体部５０およびカバー固定板５５をアダプターカバー２２側に押圧後、座金５７を介してナット５８を取付ねじ５４にねじ込み、つづいて、カバー５６をカバー固定板５５に取り付けることにより、手すり６は、取付用器具３を介して、壁材Ｗ側にしっかりと取り付けられる。
【００５６】
この取付用器具３においても、第１および第２壁裏補強板１０，１１および加圧円板１２は、固定ねじ１５のみでなく、アダプター２０を介して、連結ねじ２１によっても、壁材Ｗ側に加圧され、この取付用器具３が壁材Ｗ側に強く固定されるため、実施形態２の取付用器具２と同様な効果を得ることができる。また、この取付用器具３では、取付ねじ５４が本体部５０側に突出するように位置決めされるため、手すり６の壁材Ｗ側への取り付け作業が容易となる。さらに、この取付用器具３では、アダプター２０の形状（取付ねじ５４の本数やサイズ等）を替えることにより、種々の被固定物に簡単に対応できるという利点もある。
【００５７】
なお、実施形態１、２、３では、取付用器具１，２，３を部屋の仕切り等に用いられる垂直な壁材Ｗに固定するようにしたが、これらを、いわゆる天井壁や床壁のような水平な壁材Ｗに取り付けるようにしてもよい。また、被固定物は、手すりに限らず、壁材Ｗに固定する必要があるものであれば、何でもよい。
【００５８】
【発明の効果】
この発明は、以上のように構成されているので、以下に記載されるような効果を奏する。
【００５９】
この発明の請求項１記載の発明によれば、壁裏補強材と壁表補強材とを、壁材の壁孔周りに充分に固定できるとともに、壁孔を介して壁表補強材側に取り付けられたアダプターにより手すりをしっかりと固定できる。この場合、手すりの取付部側はカバーで覆われ、固定ねじ等が露出するのを防止できる。また、この発明では、複数の壁裏補強材を引張部材を介して、壁裏側に位置決めできるので、壁裏補強材側の構成の簡単化等を図ることができる。
【００６０】
この発明の請求項２記載の発明によれば、壁表補強材の孔と壁孔とを介して手すり取付用ねじを壁裏補強材側にねじ込むことができるので、壁裏補強材と壁表補強材とを、壁材の壁孔周りに充分に固定できるとともに、手すりを壁表補強材側にしっかりと固定できる。この場合、手すりの取付部側はカバーで覆われ、手すり取付用ねじ等が露出するのを防止できる。また、この発明では、複数の壁裏補強材を引張部材を介して、壁裏側に位置決めできるので、壁裏補強材側の構成の簡単化等を図ることができる。
【図面の簡単な説明】
【図１】  この発明の実施形態１に係る取付用器具を用いて手すりを壁材に取り付けている状態を示す断面図である。
【図２】  図１で示される取付用器具と手すり等の分解斜視図である。
【図３】  この発明の実施形態２に係る取付用器具を用いて手すりを壁材に取り付けている状態を示す断面図である。
【図４】  図３で示される取付用器具と手すり等の分解斜視図である。
【図５】  この発明の実施形態３に係る取付用器具と手すり等の分解斜視図である。
【図６】  従来の取付用器具を用いて被固定物を壁材に取り付けている状態を示す断面図である。
【符号の説明】
１，２，３  取付用器具
５，６  手すり（被固定物）
１０    第１壁裏補強板（壁裏補強材）
１０ｄ  ねじ孔
１０ｅ  挿通孔
１０ｆ  固定ねじ孔（ねじ孔）
１１    第２壁裏補強板（壁裏補強材）
１１ｄ  孔部
１１ｅ  挿通孔
１１ｆ  固定ねじ孔（ねじ孔）
１２    加圧円板（壁表補強材）
１２ｂ  加圧孔
１２ｅ、１２ｆ  案内孔
１４    引張部材
１５    固定ねじ
２０    アダプター
２１    連結ねじ
５４    取付ねじ
Ｈ    壁孔
Ｗ    壁材
Ｗ１  裏面
Ｗ２  表面
【図１】
0003718883.tif 000002
【図２】
0003718883.tif 000003
【図３】
0003718883.tif 000004
【図４】
0003718883.tif 000005
【図５】
0003718883.tif 000006
【図６】
0003718883.tif 000007